(57)【要約】【課題】音声データを送受信する通信部を２つ以上有する場合において、各通信部によって着信相手から受信した音声データを適当に管理することを目的とする。【解決手段】本発明に係る携帯電話機１は、第１通信部２００は、着信を受け、当該着信に対する応答が実行されなかった場合において、無線通信により受信した音声データを前記デジタルデータ用の信号線を介して制御部１００に送信し、制御部１００は、第１通信部２００から受信した音声データを記憶部４００に記憶させ、制御部１００は、第２通信部３００によって着信を受け、当該着信に対する応答が実行されなかった場合において、第２通信部３００から受信した音声データを記憶部４００に記憶させる。【選択図】図１
2015023357.tif 000002
【特許請求の範囲】
【請求項１】
無線通信により音声データを送受信する第１通信部と、
無線通信により音声データを送受信する第２通信部と、
記憶部と、
制御部と、
前記第１通信部と前記制御部とを結ぶデジタルデータ用の信号線と、を備え、
前記第１通信部は、着信を受け、当該着信に対する応答が実行されなかった場合において、無線通信により受信した音声データを前記デジタルデータ用の信号線を介して前記制御部に送信し、
前記制御部は、前記第１通信部から受信した音声データを前記記憶部に記憶させ、
前記制御部は、前記第２通信部によって着信を受け、当該着信に対する応答が実行されなかった場合において、前記第２通信部から受信した音声データを前記記憶部に記憶させる無線通信機器。
【請求項２】
前記制御部は、前記第１通信部から受信した前記音声データを、音声アプリケーションに対応する音声形式に変換し、前記記憶部に記憶させる
請求項１に記載の無線通信機器。
【請求項３】
前記第１通信部は、無線通信により受信した前記音声データに、当該音声データの変換形式を付加し、当該変換形式が付加された音声データを前記制御部に送信する
請求項１又は２に記載の無線通信機器。
【請求項４】
前記第１通信部は、無線通信により受信した前記音声データに、当該音声データの変換形式を当該音声データのヘッダ情報として付加し、当該変換形式が付加された音声データを前記制御部に送信する
請求項３に記載の無線通信機器。
【請求項５】
前記制御部は、前記第１通信部から受信した前記音声データを、当該音声データに付加された変換形式に基づき、音声アプリケーションに対応する変換形式に変換して前記記憶部に記憶する
請求項３又は４に記載の無線通信機器。
【請求項６】
前記制御部は、前記記憶部における前記第１通信部から受信した音声データを記憶する格納領域と同一の格納領域に、前記第２通信部から受信した音声データを記憶させる
請求項１に記載の無線通信機器。
【発明の詳細な説明】
【技術分野】
【０００１】
本出願は、無線通信機器に関する。
【背景技術】
【０００２】
従来の携帯電話機は、着信を受け、当該着信に対する応答を実行しなかった場合に、着信相手の携帯電話機から送信された音声データを、ネットワークを介して受信し、記憶する機能を有する。当該機能によって、着信を受けた携帯電話機のユーザは、記憶された音声データを再生することで、着信相手の伝えたいことを確認することができる。
【発明の概要】
【発明が解決しようとする課題】
【０００３】
しかし、従来の携帯電話機は、音声データを送受信する通信部を２つ以上有する場合において、各通信部によって着信相手から受信した音声データを適当に管理することができなかった。
【０００４】
そこで、本発明は、音声データを送受信する通信部を２つ以上有する場合において、各通信部によって着信相手から受信した音声データを適当に管理することを目的とする。
【課題を解決するための手段】
【０００５】
本発明の無線通信機器は、無線通信により音声データを送受信する第１通信部と、無線通信により音声データを送受信する第２通信部と、記憶部と、制御部と、前記第１通信部と前記制御部とを結ぶデジタルデータ用の信号線と、を備え、前記第１通信部は、着信を受け、当該着信に対する応答が実行されなかった場合において、無線通信により受信した音声データを前記デジタルデータ用の信号線を介して前記制御部に送信し、前記制御部は、前記第１通信部から受信した音声データを前記記憶部に記憶させ、前記制御部は、前記第２通信部によって着信を受け、当該着信に対する応答が実行されなかった場合において、前記第２通信部から受信した音声データを前記記憶部に記憶させる。
【０００６】
好適には、前記制御部は、前記第１通信部から受信した前記音声データを、音声アプリケーションに対応する音声形式に変換し、前記記憶部に記憶させる。
【０００７】
好適には、前記第１通信部は、無線通信により受信した前記音声データに、当該音声データの変換形式を付加し、当該変換形式が付加された音声データを前記制御部に送信する。
【０００８】
好適には、前記第１通信部は、無線通信により受信した前記音声データに、当該音声データの変換形式を当該音声データのヘッダ情報として付加し、当該変換形式が付加された音声データを前記制御部に送信する。
【０００９】
好適には、前記制御部は、前記第１通信部から受信した前記音声データを、当該音声データに付加された変換形式に基づき、音声アプリケーションに対応する変換形式に変換して前記記憶部に記憶する。
【００１０】
好適には、前記制御部は、前記記憶部における前記第１通信部から受信した音声データを記憶する格納領域と同一の格納領域に、前記第２通信部から受信した音声データを記憶させる。
【発明の効果】
【００１１】
本発明により、音声データを送受信する通信部を２つ以上有する場合において、各通信部によって着信相手から受信した音声データを適当に管理することができる。
【図面の簡単な説明】
【００１２】
【図１】図１は、本発明の実施形態における携帯電話機１の各機能を示すブロック図である。
【図２】図２は、本発明の実施形態における携帯電話機１の制御部１００、第１通信部２００及び第２通信部３００の階層構造を示す図である。
【図３】図３は、本発明の実施形態における携帯電話機１の動作を示すシーケンス図である。
【発明を実施するための形態】
【００１３】
本発明の実施形態について、以下に説明する。
【００１４】
図１は、本発明の実施形態における携帯電話機１の各機能を示すブロック図である。
【００１５】
本発明の実施形態における携帯電話機１は、制御部１００、第１通信部２００、第２通信部３００、記憶部４００、マイク５００、レシーバ６００及び制御部１００と第１通信部２００とを結ぶデータ用信号線７００を備える。
【００１６】
また、携帯電話機１は、制御部１００と第１通信部２００とを結ぶ信号線として、データ用信号線７００以外に、制御コマンド用信号線を備える。
【００１７】
また、携帯電話機１は、マイク５００及びレシーバ６００と第１通信部２００とを結ぶ音声信号用線と、マイク５００及びレシーバ６００と制御部とを結ぶ音声信号用線と、をそれぞれ備える。
【００１８】
また、携帯電話機１は、図示しない、操作部（タッチパネル、キー等）、カメラ、表示部（ＬＣＤ、有機ＥＬディスプレイ等）、スピーカ、各種センサ（加速度センサ、方位センサ等）を備えていてもよい。
【００１９】
制御部１００は、第１通信部２００、第２通信部３００、記憶部４００、マイク５００、レシーバ６００を制御する。具体的には、以下に説明する。
【００２０】
第１通信部２００は、図示しないアンテナより第１の通信方式を用いて音声若しくはデータを送受信する。ここで、第１の通信方式とは、例えば、ＬＴＥ（Ｌｏｎｇ  Ｔｅｒｍ  Ｅｖｏｌｕｔｉｏｎ）、ＷｉＭＡＸ、ＷＣＤＭＡ（登録商標）、ＣＤＭＡ２０００１ｘ、ＣＤＭA２０００１ｘ−ＥＶＤＯ、ＰＨＳ（Ｐｅｒｓｏｎａｌ  Ｈａｎｄｙ−ｐｈｏｎｅ  Ｓｙｓｔｅｍ）等のいずれかである。
【００２１】
制御部１００は、第１通信部２００によって着信を受けた場合、当該着信に対する応答操作が実行された場合、当該着信に対してネットワークを介して応答を送信し、着信相手の携帯電話機との音声呼を確立し、通話を実行する。
【００２２】
また、制御部１００は、当該着信に対する応答操作が実行されなかった場合であっても、所定の条件を満たす場合、第１通信部２００によって音声呼を確立し、着信相手から送信される音声データを受信し、記憶部４００に記憶させる。ここで、所定の条件を満たす場合とは、操作部による録音開始の実行操作があった場合、着信通知を受けてから所定時間経過した場合、録音開始に自動的に移行する所定のモードに設定されている場合等である。
【００２３】
第２通信部３００は、図示しないアンテナより第２の通信方式を用いて音声若しくはデータを送受信する。ここで、第２の通信方式とは、例えば、ＬＴＥ（Ｌｏｎｇ  Ｔｅｒｍ  Ｅｖｏｌｕｔｉｏｎ）、ＷｉＭＡＸ、ＷＣＤＭＡ(登録商標）、ＣＤＭＡ２０００１ｘ、ＣＤＭA２０００１ｘ−ＥＶＤＯ、ＰＨＳ（Ｐｅｒｓｏｎａｌ  Ｈａｎｄｙ−ｐｈｏｎｅ  Ｓｙｓｔｅｍ）等のいずれかである。また、第２通信部３００は、制御部１００と同一の電子部品若しくは素子から構成される。なお、第２通信部３００は、制御部１００と別々の電子部品若しくは素子から構成されていてもよい。
【００２４】
また、制御部１００は、第２通信部３００によって着信を受けた場合、当該着信に対する応答操作が実行された場合、当該着信に対してネットワークを介して応答を送信し、着信相手の携帯電話機との音声呼を確立し、通話を実行する。
【００２５】
また、制御部１００は、当該着信に対する応答操作が実行されなかった場合であっても、所定の条件を満たす場合、第２通信部３００によって音声呼を確立し、着信相手から送信される音声データを受信し、記憶部４００に記憶させる。ここで、所定の条件を満たす場合とは、操作部による録音開始の実行操作があった場合、着信通知を受けてから所定時間経過した場合、録音開始に自動的に移行する所定のモードに設定されている場合等である。
【００２６】
記憶部４００は、各種情報（アプリケーション、メッセージ、電話帳等）を記憶する。また、記憶部４００は、電話アプリケーション（以下、電話アプリ１１１）、メディアプレイヤーアプリケーション（以下、メディアプレイヤーアプリ１１２）を記憶する。また、記憶部４００は、第１通信部２００若しくは第２通信部３００により受信した音声データを同一の格納領域に記憶する。例えば、制御部１００は、メディアププレイヤーアプリ１１２用に設けられた格納領域に第１通信部２００により受信した音声データ及び第２通信部３００により受信した音声データを記憶することで、音声データの一元的な管理が可能となる。また、制御部１００は、メディアプレイヤーアプリ１１２を起動し、記憶しておいた音声データを再生する際に、メディアプレイヤーアプリ１１２用に設けられた格納領域を参照するだけで、第１通信部２００により受信した音声データ及び第２通信部３００により受信した音声データを一斉に読み出すことができるため、音声データの再生を容易に行うことができる。また、例えば、メディアプレイヤーアプリ１１２を起動し、再生する音声データ一覧を表示している場合において、第１通信部２００により受信した音声データ及び第２通信部３００により受信した音声データの項目を一斉に表示することができる。
【００２７】
マイク５００は、外部から音声を入力する。制御部１００は、マイク５００によって入力されたアナログ音声等の音声信号を、第１通信部２００及び第２通信部３００の通信状態に応じて、音声用信号線を介して第１通信部２００若しくは第２通信部３００に受信させる。
【００２８】
レシーバ６００は、アナログ音声等の音声信号を外部に出力する。
【００２９】
データ用信号線７００は、制御部１００と、第１通信部２００との間で送受信されるデータが通る信号線である。ここでのデータとは、例えば、アップデート用のプログラム、デジタル形式に変換された音声データ等のデジタルデータであって、アナログ音声等の音声信号は含まれない。
【００３０】
図２は、本発明の実施形態における携帯電話機１の制御部１００、第１通信部２００及び第２通信部３００の階層構造を示す図である。
【００３１】
制御部１１０は、上位から、アプリケーション１１０、フレームワーク１２０、ＲＩＬ（Ｒａｄｉｏ  Ｌｉｎｋ  Ｌａｙｅｒ）１３０の階層により構成され、ＲＩＬ１３０より下位の層として第１通信部２００及び第２通信部３００が構成されている。なお、制御部１１０は、アプリケーション１１０、フレームワーク１２０、ＲＩＬ（Ｒａｄｉｏ  Ｌｉｎｋ  Ｌａｙｅｒ）１３０以外の階層を含んでいてもよい。
【００３２】
アプリケーション１１０は、電話アプリ１１１及びメディアプレイヤーアプリ１１２を含む。なお、アプリケーション１１０は、電話アプリ１１１及びメディアプレイヤーアプリ１１２以外にも、例えば、ブラウザアプリ、アドレス帳アプリ等を含んでいてもよい。
【００３３】
フレームワーク１２０は、ＲＩＬ１３０とアプリケーション１１０との指示若しくは信号のやり取りを仲介する。
【００３４】
ＲＩＬ１３０は、第１通信部２００若しくは第２通信部３００とフレームワーク１２０との間のインターフェースとなる。
【００３５】
また、ＲＩＬ１３０は、第１通信部２００及び第２通信部３００から受信した指示若しくは信号を、フレームワーク１２０、アプリケーション１１０に通知する。また、ＲＩＬ１３０は、フレームワーク１２０及びアプリケーション１１０から通知された指示若しくは信号を、第１通信部２００及び第２通信部３００に送信する。
【００３６】
また、ＲＩＬ１３０は、第１通信部２００から受信した音声データを記憶するためのバッファを含む。
【００３７】
図３は、本発明の実施形態における携帯電話機１の動作を示すシーケンス図である。
【００３８】
第１通信部２００は、ネットワークを経由して他の携帯電話機からの着信を受けた場合、当該着信を通知する着信通知を、制御コマンド用信号線を介して制御部１００におけるＲＩＬ１３０に送信する。着信通知を受けたＲＩＬ１３０は、当該着信通知を、フレームワーク１２０を経由して電話アプリ１１１に通知する。
【００３９】
着信通知を受けた電話アプリ１１１は、録音開始の指示を、フレームワーク１２０を介してＲＩＬ１３０に通知する。録音開始の指示を受けたＲＩＬ１３０は、録音開始の指示を、制御コマンド用信号線を介して第１通信部２００に送信する。なお、電話アプリ１１１が録音開始の指示を送信するケースは、着信に対する応答が実行されなかった場合であり、例を挙げると、操作部による録音開始の実行操作があった場合、着信通知を受けてから所定時間経過した場合、録音開始に自動的に移行する所定のモードに設定されている場合等である。
【００４０】
録音開始の指示を受信した第１通信部２００は、当該録音開始の指示に対してＯＫの旨の返信を、制御コマンド用信号線を介してＲＩＬ１３０に送信し、ネットワークを介して他の携帯電話機から送信される音声データの受信を開始する（ステップＳ１）。ＯＫの旨の返信を第１通信部２００から受信したＲＩＬ１３０は、ＯＫの旨の返信を、フレームワーク１２０を介して電話アプリ１１１に通知する。
【００４１】
音声データの受信を開始した第１通信部２００は、受信した音声データを、データ用信号線７００を介してＲＩＬ１３０へ送信する。なお、第１通信部２００は、受信した音声データを４０ｍｓｅｃ毎にＲＩＬ１３０へ送信する。
【００４２】
音声データを第１通信部２００から受信したＲＩＬ１３０は、当該音声データをメディアプレイヤーアプリ１１２に対応するリニアＰＣＭ形式に変換する。具体的には、ＲＩＬ１３０は、受信した音声データのヘッダ情報として付加された当該音声データの変換形式（例えば、１６ｋＡＤＰＣＭ若しくは３２ｋＡＤＰＣＭ）に基づき、当該受信した音声データをリニアＰＣＭ形式に変換する（ステップＳ２）。ＲＩＬ１３０が、音声データに、当該音声データの変換形式をヘッダ情報として付加することで、当該音声データをリニアＰＣＭ形式に適切に変換することができる。なお、変換する形式は、リニアＰＣＭ形式に限られず、他の形式であってもよい。
【００４３】
ＲＩＬ１３０は、リニアＰＣＭ形式に変換した音声データをＲＩＬ１３０のバッファに記憶する（ステップＳ３）。
【００４４】
また、電話アプリ１１１は、第１通信部２００から送信された録音開始の指示に対するＯＫの旨の返信を受けると、録音開始の指示をメディアプレイヤーアプリ１１２に通知する。録音開始の指示を受けたメディアプレイヤーアプリ１１２は、ＲＩＬ１３０のバッファを読み込み、バッファに記憶されている音声データを取得し、取得した音声データを記憶部４００に記憶し（ステップＳ４）、録音終了時まで繰り返し行う。
【００４５】
メディアプレイヤーアプリ１１２は、録音終了の指示を電話アプリ１１１に通知する。ここで、メディアプレイヤーアプリ１１２が録音終了の指示を電話アプリ１１１に通知する場合は、例を挙げると、電話アプリ１１１から録音開始の指示を受けてから所定時間経過した場合等である。
【００４６】
メディアプレイヤーアプリ１１２から録音終了の指示を受けた電話アプリ１１１は、録音停止の指示を、フレームワーク１２０を介してＲＩＬ１３０に通知する。
【００４７】
録音停止の指示を受けたＲＩＬ１３０は、録音停止の指示を、制御コマンド用信号線を経由して第１通信部２００に送信する。録音停止の指示を受信した第１通信部２００は、音声データの受信を停止する、すなわち、相手先携帯電話機とネットワークを介して接続している音声呼を切断する（ステップＳ５）。
【００４８】
また、制御部１００は、第２通信部３００により受信した音声データもリニアＰＣＭ形式に変換して記憶部４００に記憶する。
【００４９】
これによって、制御部１００は、第１通信部２００により受信した音声データ及び第２通信部３００により受信した音声データのいずれも記憶部４００に記憶することで、メディアプレイヤーアプリ１１２によって録音した音声データを一元的に管理することができる。
【００５０】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００５１】
また、本発明の携帯無線機は、実施形態における携帯電話機１に限定されず、携帯型パソコン、デジタルカメラ、メディアプレイヤ、電子書籍リーダ、ナビゲータ、ゲーム機等の無線通信機能を有する携帯電子機器、無線通信機能に特化した通信専用モジュール、デスクトップパソコン、テレビ受像器等の据え置き型の無線通信機能を有する電子機器であってもよい。
【符号の説明】
【００５２】
１  携帯電話機（無線通信機器）
１００  制御部
２００  第１通信部
３００  第２通信部
４００  記憶部
５００  マイク
６００  レシーバ
７００  データ用信号線
【図１】
2015023357.tif 000003
【図２】
2015023357.tif 000004
【図３】
2015023357.tif 000005